(57)【要約】 【課題】  管理工程の複雑化やコストの増大を回避しつつ電線接続の自由度を高めることのできるバッテリーターミナルを提供する。【解決手段】  バッテリーターミナル１は、締付部４０とバッテリーポスト接続部３０とが一体に設けられたターミナル本体１０と電線接続部２０とが別体に形成されている。さらに、接続部３０には複数の取付部３２が備えられる一方、電線接続部２０にはこの複数の取付部３２に対して選択的に係止可能な係止部が備えられている。【選択図】  図８
2006190576.tif 000002
【特許請求の範囲】
【請求項１】
バッテリーポストを取り囲むように環状に形成された接続部と、この接続部から延出されるとともに前記接続部を前記バッテリーポストに対して締め付け固定する締付部とが一体に設けられたターミナル本体と、電線が接続されるとともに前記本体に連結される電線接続部とを備えたバッテリーターミナルであって、
前記ターミナル本体と前記電線接続部とが別体に形成され、
前記接続部にはその周方向に並列する複数の取付部が備えられる一方、前記電線接続部には前記複数の取付部に対して選択的に係止可能な係止部が備えられていることを特徴とするバッテリーターミナル。
【請求項２】
前記係止部には前記取付部の壁面を挟み込む一対の差込片が備えられ、
前記壁面と前記差込片とには互いに係合することで前記差込片が前記取付部から外れることを規制する係合部が設けられていることを特徴とする請求項１記載のバッテリーターミナル。
【請求項３】
前記係合部が、前記一対の差込片のうち前記取付部の内周側に配される内側差込片において前記取付部と対向する側の面に突設された係止突部と、前記取付部の内周面に設けられて前記係止突部が係止する被係止部とで構成されることを特徴とする請求項１または請求項２記載のバッテリーターミナル。
【請求項４】
前記電線接続部が、前記電線の芯線を圧着するためのバレル部を備えていることを特徴とする請求項１〜請求項３のいずれかに記載のバッテリーターミナル。
【請求項５】
前記電線接続部が、前記電線の端末部に取り付けられた端子金具を接続するためのスタッドボルトを備えていることを特徴とする請求項１〜請求項３のいずれかに記載のバッテリーターミナル。
【発明の詳細な説明】
【技術分野】
【０００１】
本発明は、自動車等に搭載されるバッテリーのバッテリーポストに電線を接続するのに用いるバッテリーターミナルに関する。
【背景技術】
【０００２】
従来、バッテリーターミナルの一例として、特許文献１に記載のものが知られている。このバッテリーターミナルは、車両に搭載されたバッテリーに負極端子を増設するためのものであって、バッテリーの負極端子に外嵌可能な環状に形成された接続部と、この接続部から延出されるとともに互いに対向して形成された一対の張出片と、バッテリーの負極端子と同形に形成された増設用の負極端子とを備えている。そして、バッテリーの負極端子に接続される接続部を中心として、増設用の負極端子と張出片とが直線状に一体形成されている。この増設用の負極端子にはボディ用アース線の接続端子が接続され、一方、張出片にはアース用ハーネスの接続端子が接続されている。また、この張出片をボルトとナットで締め付けることによって、接続部が縮径されてバッテリーの負極端子に装着されるようになっている。
【特許文献１】特開２００３−２５７４１０公報
【発明の開示】
【発明が解決しようとする課題】
【０００３】
しかしながら、接続部の締め付け作業性、他部品との干渉等の問題からバッテリーターミナルの取り付け向きには一定の制約が伴う。このとき、バッテリーターミナルにおける電線の接続部位（張出片、負極端子）は接続部に対して固定されているから、電線の引き出し方向も制約を受けることとなる。この問題を解決するために、電線を引き出したい方向に応じて複数種のバッテリーターミナルを用意することも考えられるが、バッテリーターミナルの品種が増大することは部品管理の煩雑さ、製造コストの増大等の観点から好ましくない。
【０００４】
加えて、このバッテリーターミナルに接続される電線の端末形状には、上記特許文献のように接続端子が設けられているもの、接続端子が設けられず、電線の芯線が露出しているものなど複数種が存在する。したがって、これら複数種の接続端子と電線の引き出し方向との双方に対応しようとすると、極めて多品種のバッテリーターミナルを製造しなければならなくなってしまう。
【０００５】
本発明は上記のような事情に基づいて完成されたものであって、管理工程の複雑化やコストの増大を回避しつつ電線接続の自由度を高めることのできるバッテリーターミナルの提供を目的とする。
【課題を解決するための手段】
【０００６】
上記の目的を達成するための手段として、請求項１の発明は、バッテリーポストを取り囲むように環状に形成された接続部と、この接続部から延出されるとともに前記接続部を前記バッテリーポストに対して締め付け固定する締付部とが一体に設けられたターミナル本体と、電線が接続されるとともに前記本体部に連結される電線接続部とを備えたバッテリーターミナルであって、前記ターミナル本体と前記電線接続部とが別体に形成され、前記接続部にはその周方向に並列する複数の取付部が備えられる一方、前記電線接続部には前記複数の取付部に対して選択的に係止可能な係止部が備えられているところに特徴を有する。
【０００７】
請求項２の発明は、請求項１に記載のものにおいて、前記係止部には前記取付部の壁面を挟み込む一対の差込片が備えられ、前記壁面と前記差込片とには互いに係合することで前記差込片が前記取付部から外れることを規制する係合部が設けられているところに特徴を有する。
【０００８】
請求項３の発明は、請求項１または請求項２に記載のものにおいて、前記係合部が、前記一対の差込片のうち前記取付部の内周側に配される内側差込片において前記取付部と対向する側の面に突設された係止突部と、前記取付部の内周面に設けられて前記係止突部が係止する被係止部とで構成されるところに特徴を有する。
【０００９】
請求項４の発明は、請求項１〜請求項３のいずれかに記載のものにおいて、前記電線接続部が、前記電線の芯線を圧着するためのバレル部を備えているところに特徴を有する。
【００１０】
請求項５の発明は、請求項１〜請求項３のいずれかに記載のものにおいて、前記電線接続部が、前記電線の端末部に取り付けられた端子金具を接続するためのスタッドボルトを備えているところに特徴を有する。
【発明の効果】
【００１１】
＜請求項１の発明＞
請求項１の発明によれば、締付部とバッテリーポスト接続部とが一体に設けられたターミナル本体と電線接続部とが別体に形成されているから、ターミナル本体を共用化し、接続する電線の端末に応じて電線接続部のみを取り替えることにより複数種の電線端末に対応できる。さらに、接続部にはその周方向に並列する複数の取付部が備えられる一方、電線接続部にはこの複数の取付部に対して選択的に係止可能な係止部が備えられているから、電線を引き出したい方向に応じて電線接続部の取り付け位置を選ぶことができる。これにより、部品点数の増大を抑えつつ配線の自由度を高めることができる。
【００１２】
＜請求項２の発明＞
請求項２の発明によれば、電線接続部の係止部には、取付部の壁面を挟み込む一対の差込片が備えられ、この壁面と差込片とには互いに係合することで差込片が取付部から外れることを規制する係合部が設けられている。このような構成によれば、この差込片間に取付部の壁面を差し入れると、壁面と差込片とに設けられた係合部が互いに係合し、差込片が取付部に固定される。このように、差込片間に取付部の壁面を差し入れるだけのワンタッチ操作で電線接続部を接続部に取り付けられるから、取り付け作業が容易となる。
【００１３】
＜請求項３の発明＞
請求項３の発明によれば、係合部が、一対の差込片のうち取付部の内周側に配される内側差込片においてこの取付部と対向する側の面に突設された係止突部と、この取付部の内周面に設けられて係止突部が係止する被係止部とで構成されている。このような構成によれば、係止突部は内側差込片においてバッテリーポストが装着される側と反対側の面から外周側へ突設されているから、バッテリーポストはこの係止突部に邪魔されることなく接続部の内周面に密着される。したがって、バッテリーポストへのバッテリーターミナルの接続信頼性が確保される。
【００１４】
＜請求項４の発明＞
請求項４の発明によれば、電線接続部が、電線の芯線を圧着するためのバレル部を備えている。このような構成によれば、端末に端子金具が備えられていない電線の接続が可能となる。
【００１５】
＜請求項５の発明＞
請求項５の発明によれば、電線接続部が、電線の端末部を接続するためのスタッドボルトを備えている。このような構成によれば、端末にスタッドボルトが挿入可能な挿通孔を備えた端子金具が装着されている電線の接続が可能となる。
【発明を実施するための最良の形態】
【００１６】
＜実施形態１＞
以下、本発明の実施形態１を図１〜図８によって説明する。
【００１７】
本実施形態のバッテリーターミナル１は、自動車等に搭載されるバッテリーＢのバッテリーポストＰに電線Ｗを接続するためのものであって、金属板をプレスにより所定形状に打ち抜いた板材を曲げ加工してなるターミナル本体１０と、このターミナル本体１０とは別体に形成された電線接続部２０とを備えている。
【００１８】
図１には、実施形態１にかかるターミナル本体１０の平面図を、図２には、実施形態１にかかるターミナル本体１０の側面図を、図３には、実施形態１にかかるターミナル本体１０の正面図を示した。
【００１９】
以下、各構成部材において、接続部３０の中心線方向（図２の上下方向）を上下方向として説明する。
【００２０】
ターミナル本体１０は、バッテリーポストＰに接続される接続部３０と、この接続部３０をバッテリーポストＰに対して締め付け固定する締付部４０とを備えている。なお、バッテリーポストＰは、上端側に向けて次第に径の小さくなったテーパー状の円柱形に形成されている。
【００２１】
接続部３０は、バッテリーポストＰの外周を取り囲むように形成された外周壁３１を備えている。この外周壁３１はバッテリーポストＰと同じテーパー角度で上端側に向けて次第に径が小さくなるとともに、その周方向において所定の幅が開放された円環状に形成されている。
【００２２】
締付部４０は、この開放端から互いに対向するように径方向外周側に延出された一対の延出片４１を備えている。この延出片４１は、図２に示すように、平板状をなし、そのほぼ中央位置には両延出片４１を同軸で貫通するようにボルト貫通孔４２が形成されている。また、各延出片４１の上下部には、図３に示すように、その両端縁を直角曲げ加工することにより形成されたリブ４３が設けられている。この実施形態においては、リブ４３の曲げ方向が各延出片４１の上下部で相互に反対方向となるようにしてある。また、お互いに対面する方向に曲げられたリブ４３は、接続部３０の高さ範囲内に位置しており、互いに背合わせ方向に折り曲げられたリブ４３は接続部３０の高さ範囲外に位置している。そして、ボルト、ナットの締め付けがなされると両延出片４１は接近し、接続部３０の内径を縮めてバッテリーポストＰに対する締め付けを可能にするが、過度に締め付けがなされないように、お互いに対面する方向に曲げられたリブ４３がその対向する延出片４１の内面に突き当てられることで、それ以上の締め付けをなし得ないようにしている。
【００２３】
接続部３０には、図１に示すように、電線接続部２０を選択的に取付可能とする複数の取付部３２（それぞれ同一構造となっている）が周方向に沿って等角度間隔毎に配されている。この取付部３２は、円弧状の外周壁３１においてその開放部と対向する位置に１箇所と、この両者間におけるほぼ中間位置にそれぞれ１箇所ずつ、計３箇所に設けられている。そして、外周壁３１において取付部３２以外の部分は、バッテリーポストＰと密着する密着壁部３３とされている。また、各取付部３２は、接続部３０の外周壁３１を径方向外方へ膨出させることによって形成されている。なお、取付部３２は、接続部３０の外周壁３１とほぼ同一のテーパー角をもって形成されている。また、取付部３２には、図２に示すように、係止窓３４（本発明の被係止部に該当する）がそれぞれ１個ずつ設けられている。
【００２４】
図４には、実施形態１にかかる電線接続部２０の側面図を、図５には、実施形態１にかかる電線接続部２０の平面図を示した。
【００２５】
電線接続部２０は、金属製の板材よりなり、電線Ｗが接続されるとともにターミナル本体１０に装着されるものである。電線接続部２０は基板２１を有し、その後半部には一対のカシメ片２２よりなるバレル部２３が設けられている。このバレル部２３は、電線Ｗの芯線２４に対し両カシメ片２２をカシメつけることによって、電線Ｗとの接続を行う役割を果たす。一方、基板２１の前端部には一対の差込片２５が設けられている。両差込片２５のうち前側に位置するものは、基板２１の前端からほぼ直角にかつ撓み可能に折り曲げられ、接続部３０における取付部３２の内側に差込可能な内側差込片２５ａとされている。なお、内側差込片２５ａが取付部３２の内側に差し込まれた状態では、内側差込片２５ａの内面が密着壁部３３の内面とほぼ面一、あるいはやや外方に引っ込んで位置するようにしてある。また、基板２１において内側差込片２５ａの後方には外側差込片２５ｂが配されている。外側差込片２５ｂは基板２１のほぼ全幅にわたる幅寸法をもって形成され、溶接等の手段により基板２１に固着されている。外側差込片２５ｂは、内側差込片２５ａとの間に取付部３２を挟持可能な間隔を保有し、かつほぼ同一の長さ寸法をもって対面している。また、内側差込片２５ａには、外側差込片２５ｂと対面する側の面に係止突部２６が切り起こしによって突設されている。この係止突部２６は、両差込片２５が取付部３２を挟持した状態で正規位置に装着されると、係止窓３４の上縁に弾性的に係止して電線接続部２０全体の抜け止めを可能にする。
【００２６】
次に、上記のように構成された実施形態１の作用および効果について、図６〜図８を参照しつつ説明する。
【００２７】
図６には、実施形態１にかかる電線接続部２０をターミナル本体１０に取り付ける前の状態を表す側断面図を、図７には、実施形態１にかかる電線接続部２０をターミナル本体１０に取り付ける途中の様子を表す側断面図を、図８には、実施形態１にかかるバッテリーターミナル１がバッテリーポストＰに取り付けられた状態を表す側断面図を示した。
【００２８】
まず、バレル部２３を備えた電線接続部２０に電線Ｗを接続する。この電線Ｗの端部は絶縁被覆が除去されて芯線２４が露出されており、その芯線２４を両カシメ片２２で包み込むようにしてカシメ付けると、電線Ｗと電線接続部２０とが導通可能に接続される。このように、電線接続部２０が、電線Ｗの芯線２４を圧着するためのバレル部２３を備えているから、端末に端子金具が備えられていない電線Ｗの接続が可能となる。
【００２９】
次に、電線Ｗが接続された電線接続部２０をターミナル本体１０に取り付ける。この取付作業にあたり、複数ある取付部３２から電線Ｗを引き出したい方向に応じて１箇所の取付部３２を選び、電線接続部２０に設けられた差込片２５をその選択した取付部３２の位置に位置合わせする。そして、図６に示すように、差込片２５間に取付部３２が差し込まれるようにしつつ、この両者を嵌め合わせた状態にセットし、電線接続部２０を下方へ押し込んでいく。
【００３０】
そして、図７に示すように、内側差込片２５ａが撓み変形しつつ下方へ移動し、係止突部２６が係止窓３４に適合する位置にまで至ると内側差込片２５ａが弾性復帰し、係止突部２６が係止窓３４の上縁に係止する。これによって、電線接続部２０および電線Ｗがターミナル本体１０に抜け止め状態で装着される。
【００３１】
こうして電線接続部２０をターミナル本体１０に装着した後、このバッテリーターミナル１を接続部３０の内周面がバッテリーポストＰの外周に密着するように嵌め入れる。このとき、接続部３０の取付部３２内に嵌着された内側差込片２５ａがバッテリーポストＰに密着する。そして、締付部４０に設けられたボルト貫通孔４２に通したボルトと、そのボルトに螺合されたナットとを締め付けると、両延出片４１が接近することに伴い、接続部３０の内径が次第に小さくなり、接続部３０はバッテリーポストＰに固定される。
【００３２】
以上のように実施形態１によれば、次の作用効果が発揮される。
【００３３】
接続部３０にはその周方向に並列する複数の取付部３２が備えられる一方、電線接続部２０にはこの複数の取付部３２に対して選択的に係止可能な差込片２５が備えられているから、電線Ｗを引き出したい方向に応じて電線接続部２０の取り付け位置を選ぶことができる。だから、電線Ｗの配索方向に応じて専用のバッテリーターミナルを必要としていた従来に比べ、ターミナル本体１０を共用化しつつ電線接続部２０を選択的に装着することができるから、部品点数の削減が可能となる。
【００３４】
また、差込片２５間に取付部３２を差し入れるだけのワンタッチ操作で電線接続部２０を接続部３０に取り付けられるから、取り付け作業が容易となる。
【００３５】
＜実施形態２＞
次に、本発明の実施形態２に係るバッテリーターミナル５０を図９〜図１１によって説明する。図９には、実施形態２にかかる電線接続部５１に電線端末を接続した状態を表す側面図を、図１０には、実施形態２にかかる電線接続部５１に電線端末を接続した状態を表す平面図を、図１１には、実施形態２にかかるバッテリーターミナル５０がバッテリーポストＰに取り付けられた状態を表す側断面図を示した。
【００３６】
実施形態１では、端末に端子金具を有しない電線Ｗを電線接続部２０に直接カシメつけることにより接続を行うものであったが、実施形態２では、端子金具付き電線Ｗを対象とし、これとの接続を可能にするものである。なお、実施形態１と同様の構成には同一符号を付して重複する説明を省略する。
【００３７】
具体的には、この電線接続部５１は、前述した電線接続部２０のバレル部２３の替わりにスタッドボルト５２を備えたものである。一方、電線端末に接続された端子金具５３は、一端側に電線Ｗの芯線にカシメられるバレル片５４を備え、他端側にスタッドボルト５２に挿通可能な挿通孔５５を有する端子部５６を備えている。そして、電線接続部５１のスタッドボルト５２に、電線Ｗの端末に装着された端子金具５３の挿通孔５５を通し、ナット５７により固定すると、電線Ｗと電線接続部５１とが導通可能に接続される。
【００３８】
実施形態１に加えて、実施形態２のような電線端末形態を併用すれば、複数種の電線端末に対応できる。電線端末形態は、実施形態１、実施形態２のように複数種がありうる。その場合には、複数種の電線端末形態と電線の配索方向との組み合わせ数が増加し、極めて多品種のバッテリーターミナルを製造しなければならなくなってしまう。しかし、本願によれば複数種の電線端末に応じた電線接続部を用意するだけでよい。したがって、電線端末の種類の増加に伴い、部品点数の削減という本願の効果が一層顕著なものとなる。
【００３９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４０】
（１）本実施形態においては、電線接続部に差込片を設けて接続部の取付部を挟持する装着形式を示したが、これに限らず、接続部と電線接続部間の導通がとれた状態で装着がされるのであればその形式は問わない。例えば、リベット止めでもよく、あるいは別途にクリップ材を使用して装着するものであってもよい。
【００４１】
（２）本実施形態においては、電線接続部の差込片間に取付部が下側から差し入れられる形態となっているが、これに限らず、電線接続部の差込片間に取付部の取付壁部が上側から差し入れられる形態でも良い。
【００４２】
（３）本実施形態においては、取付部の係止窓は貫通形成されているが、これに限らず、電線接続部の係止突部が引っ掛かる段差が設けられていれば貫通形成されていなくても良く、例えば、取付壁部に凹みが形成されていても良い。
【００４３】
＜関連技術＞
この発明とは直接は関連しないが、バッテリーターミナルに関し次のような技術も開発されている。
【００４４】
接続部において両延出片と反対側に電線接続部が一体に備えられ、電線芯線とのカシメ付けが可能となっている。一方、両延出片間には、ターミナル本体とは別体に形成された他の電線接続部が設けられる。この他の電線接続部は、両延出片間に挟持される取付板を備え、両延出片を締め付けるボルト、ナットによって延出片とともに共締めされる。取付板は、延出片の上方に延び、そこから水平に折り曲げられて、そこからスタッドボルトが立設され、挿通孔を有する端子金具が装着された電線との接続を可能にしている。
【００４５】
このような構造のものであれば、必要に応じて他の電線接続部の装着の是非を選択することができる。
【図面の簡単な説明】
【００４６】
【図１】実施形態１にかかるターミナル本体の平面図
【図２】実施形態１にかかるターミナル本体の側面図
【図３】実施形態１にかかるターミナル本体の正面図
【図４】実施形態１にかかる電線接続部の側面図
【図５】実施形態１にかかる電線接続部の平面図
【図６】実施形態１にかかる電線接続部をターミナル本体に取り付ける前の状態を表す側断面図
【図７】実施形態１にかかる電線接続部をターミナル本体に取り付ける途中の様子を表す側断面図
【図８】実施形態１にかかるバッテリーターミナルがバッテリーポストに取り付けられた状態を表す側断面図
【図９】実施形態２にかかる電線接続部に電線端末を接続した状態を表す側面図
【図１０】実施形態２にかかる電線接続部に電線端末を接続した状態を表す平面図
【図１１】実施形態２にかかるバッテリーターミナルがバッテリーポストに取り付けられた状態を表す側断面図
【符号の説明】
【００４７】
Ｐ…バッテリーポスト
Ｗ…電線
１…実施形態１に係るバッテリーターミナル
１０…ターミナル本体
２０…電線接続部
２３…バレル部
２５…差込片
２５ａ…内側差込片
２６…係止突部
３０…接続部
３２…取付部
３４…係止窓（被係止部）
４０…締付部
５０…実施形態２に係るバッテリーターミナル
５１…電線接続部
５２…スタッドボルト
【図１】
2006190576.tif 000003
【図２】
2006190576.tif 000004
【図３】
2006190576.tif 000005
【図４】
2006190576.tif 000006
【図５】
2006190576.tif 000007
【図６】
2006190576.tif 000008
【図７】
2006190576.tif 000009
【図８】
2006190576.tif 000010
【図９】
2006190576.tif 000011
【図１０】
2006190576.tif 000012
【図１１】
2006190576.tif 000013